(57)【特許請求の範囲】
【請求項１】
ユーザ端末に用いられ、セル再選択過程において隣接セルを検出する方法であって、
基地局からユーザ端末へ接続状態からアイドル状態に切り替えることを指示するためのメッセージであって、少なくとも１つの周波数帯域が含まれた第１周波数帯域グループに関するメッセージを含む第１メッセージを受信することと、
前記第１周波数帯域グループに基づいて前記ユーザ端末に記憶された第２周波数帯域グループを更新することと、
セル再選択を実行する場合、更新後の前記第２周波数帯域グループにおける前記少なくとも１つの周波数帯域で隣接セルを検出することと、
を含み、
前記第１周波数帯域グループは、システムが指定していない状況において前記ユーザ端末が隣接セルを検出する各周波数帯域を含む汎用周波数帯域を含み、
前記第１周波数帯域グループに基づいて前記ユーザ端末に記憶された前記第２周波数帯域グループを更新することは、
前記第２周波数帯域グループに汎用周波数帯域のみが含まれた場合、前記第１周波数帯域グループにおける汎用周波数帯域に基づいて前記第２周波数帯域グループにおける汎用周波数帯域を更新することと、
前記第２周波数帯域グループに、汎用周波数帯域と、システムが前記ユーザ端末に隣接セルの検出を指定する各周波数帯域を含む専用周波数帯域とが含まれた場合、前記第１周波数帯域グループにおける汎用周波数帯域に基づいて前記第２周波数帯域グループにおける汎用周波数帯域を更新し、前記第２周波数帯域グループにおける専用周波数帯域を削除することと、
を含むことを特徴とする方法。
【請求項２】
前記第１メッセージは、さらに、前記少なくとも１つの周波数帯域の優先度に関するメッセージを含み、
前記更新後の前記第２周波数帯域グループにおける前記少なくとも１つの周波数帯域で隣接セルを検出することは、
前記少なくとも１つの周波数帯域の優先度に基づいて、前記少なくとも１つの周波数帯域で隣接セルを検出することを含む、
ことを特徴とする請求項１に記載の方法。
【請求項３】
前記第１周波数帯域グループは、システムが指定していない状況において前記ユーザ端末が隣接セルを検出する各周波数帯域を含む汎用周波数帯域と、システムが前記ユーザ端末に隣接セルの検出を指定する各周波数帯域を含む専用周波数帯域とを含み、
前記第１周波数帯域グループに基づいて前記ユーザ端末に記憶された前記第２周波数帯域グループを更新することは、
前記第２周波数帯域グループに汎用周波数帯域のみが含まれた場合、前記第１周波数帯域グループにおける専用周波数帯域を前記第２周波数帯域グループに加え、前記第１周波数帯域グループにおける汎用周波数帯域に基づいて前記第２周波数帯域グループにおける汎用周波数帯域を更新することと、
前記第２周波数帯域グループに汎用周波数帯域及び専用周波数帯域が含まれた場合、前記第１周波数帯域グループにおける汎用周波数帯域及び専用周波数帯域に基づいて、前記第２周波数帯域グループにおける汎用周波数帯域及び専用周波数帯域を更新することと、
を含むことを特徴とする請求項１又は２に記載の方法。
【請求項４】
前記第１メッセージは、無線リソース制御接続解放メッセージ（ＲＲＣ  Ｃｏｎｎｅｃ
ｔｉｏｎ  Ｒｅｌｅａｓｅ）であることを特徴とする請求項１に記載の方法。
【請求項５】
ユーザ端末に応用され、セル再選択過程において隣接セルを検出する装置であって、
基地局からユーザ端末へ接続状態からアイドル状態に切り替えることを指示するためのメッセージであって、少なくとも１つの周波数帯域が含まれた第１周波数帯域グループに関するメッセージを含む第１メッセージを受信する受信モジュールと、
前記第１周波数帯域グループに基づいて前記ユーザ端末に記憶された第２周波数帯域グループを更新する更新モジュールと、
セル再選択を実行する場合、更新後の前記第２周波数帯域グループにおける前記少なくとも１つの周波数帯域で隣接セルを検出する検出モジュールと、
を含み、
前記更新モジュールは、
前記第１周波数帯域グループに、システムが指定していない状況において前記ユーザ端末が隣接セルを検出する各周波数帯域を含む汎用周波数帯域が含まれた場合、前記第２周波数帯域グループに汎用周波数帯域のみが含まれると、前記第１周波数帯域グループにおける汎用周波数帯域に基づいて前記第２周波数帯域グループにおける汎用周波数帯域を更新する第１更新サブモジュールと、
前記第１周波数帯域グループに汎用周波数帯域が含まれた場合、前記第２周波数帯域グループに、汎用周波数帯域、及びシステムが前記ユーザ端末に隣接セルの検出を指定する各周波数帯域を含む専用周波数帯域が含まれると、前記第１周波数帯域グループにおける汎用周波数帯域に基づいて前記第２周波数帯域グループにおける汎用周波数帯域を更新し、前記第２周波数帯域グループにおける専用周波数帯域を削除する第２更新サブモジュールと、
を含むことを特徴とする装置。
【請求項６】
前記受信モジュールにより受信された第１メッセージには、さらに、前記少なくとも１つの周波数帯域の優先度に関するメッセージが含まれ、
前記検出モジュールは、
さらに、前記少なくとも１つの周波数帯域の優先度に基づいて、前記少なくとも１つの周波数帯域で隣接セルを検出する
ことを特徴とする請求項５に記載の装置。
【請求項７】
前記更新モジュールは、
前記第１周波数帯域グループに、システムが指定していない状況において前記ユーザ端末が隣接セルを検出する各周波数帯域を含む汎用周波数帯域、及びシステムが前記ユーザ端末に隣接セルの検出を指定する各周波数帯域を含む専用周波数帯域が含まれた場合、前記第２周波数帯域グループに前記汎用周波数帯域のみが含まれると、前記第１周波数帯域グループにおける専用周波数帯域を前記第２周波数帯域グループに加え、前記第１周波数帯域グループにおける汎用周波数帯域に基づいて前記第２周波数帯域グループにおける汎用周波数帯域を更新する第３更新サブモジュールと、
前記第１周波数帯域グループに汎用周波数帯域及び専用周波数帯域が含まれた場合、前記第２周波数帯域グループに汎用周波数帯域及び専用周波数帯域が含まれると、前記第１周波数帯域グループにおける汎用周波数帯域及び専用周波数帯域に基づいて、前記第２周波数帯域グループにおける汎用周波数帯域及び専用周波数帯域を更新する第４更新サブモジュールと、
を含むことを特徴とする請求項５又は６に記載の装置。
【請求項８】
前記第１メッセージは、無線リソース制御接続解放メッセージ（ＲＲＣ  Ｃｏｎｎｅｃｔｉｏｎ  Ｒｅｌｅａｓｅ）であることを特徴とする請求項５に記載の装置。
【請求項９】
ユーザ端末に用いられ、セル再選択過程において隣接セルを検出する装置であって、
プロセッサと、
前記プロセッサによって実行可能なコマンドを記憶するメモリと、
を含み、
前記プロセッサは、
基地局からユーザ端末へ接続状態からアイドル状態に切り替えることを指示するためのメッセージであって、少なくとも１つの周波数帯域が含まれた第１周波数帯域グループに関するメッセージを含む第１メッセージを受信し、
前記第１周波数帯域グループに基づいて前記ユーザ端末に記憶された第２周波数帯域グループを更新し、
セル再選択を実行する場合、更新後の前記第２周波数帯域グループにおける前記少なくとも１つの周波数帯域で隣接セルを検出し、
前記第１周波数帯域グループは、システムが指定していない状況において前記ユーザ端末が隣接セルを検出する各周波数帯域を含む汎用周波数帯域を含み、
前記第１周波数帯域グループに基づいて前記ユーザ端末に記憶された前記第２周波数帯域グループを更新することは、
前記第２周波数帯域グループに汎用周波数帯域のみが含まれた場合、前記第１周波数帯域グループにおける汎用周波数帯域に基づいて前記第２周波数帯域グループにおける汎用周波数帯域を更新することと、
前記第２周波数帯域グループに、汎用周波数帯域と、システムが前記ユーザ端末に隣接セルの検出を指定する各周波数帯域を含む専用周波数帯域とが含まれた場合、前記第１周波数帯域グループにおける汎用周波数帯域に基づいて前記第２周波数帯域グループにおける汎用周波数帯域を更新し、前記第２周波数帯域グループにおける専用周波数帯域を削除することと、
を含むように構成されることを特徴とする装置。
【発明の詳細な説明】
【技術分野】
【０００１】
本願は、２０１６年３月３０日に出願された中国特許出願番号２０１６１０１９２０６８．３に基づいて提出され、該中国特許出願の優先権を主張する。該中国特許出願の全ての内容は、本明細書中に参考として援用される。
【０００２】
本発明は、移動通信技術分野に関する。特に、セル再選択過程において隣接セルを検出する方法及び装置に関する。
【背景技術】
【０００３】
移動通信網において、ＵＥ（Ｕｓｅｒ  Ｅｑｕｉｐｍｅｎｔ、ユーザ端末）は、いつも信号の良いセルに位置することを保証するため、一般的にアイドル状態でセル再選択を実行する。隣接セルを検出することは、セル再選択の前提条件である。
【０００４】
従来技術において、ＵＥがアイドル状態にある場合、ＵＥはシステムが配置した周波数帯域により隣接セルを検出する。即ち、システムが配置した各周波数帯域における、現在の常駐セルに対応する周波数帯域以外のその他の周波数帯域の信号品質を監視し、その他の周波数帯域の信号品質が持続的に現在のセルの信号品質よりよい場合、ＵＥはその他の信号品質のよい周波数帯域に対応するセルに切り替えられる。実際の応用において、システムは、負荷分散の目的に基づき、専用シグナリングによってＵＥが少量の周波数帯域のみで信号品質を検出することを指定することができる。
【０００５】
本発明を実現する過程において、従来技術に以下の問題が存在することに気付いた。
【０００６】
専用シグナリングの持続時間は一般的に比較的に長い。ＵＥが遠く離れた位置に速く移動して新しいセルにアクセスされる場合、当該専用シグナリングは有効時限が切れておらず、当該セルの隣接セルが位置している周波数帯域はシステムにより信号品質の検出が指定された周波数帯域と異なり、この場合、ＵＥが隣接セルをスムーズに検出できない問題が発生する。
【発明の概要】
【課題を解決するための手段】
【０００７】
本発明の実施例は、セル再選択過程において隣接セルを検出する方法及び装置を提供し、その技術的解決手段は以下のとおりである。
【０００８】
本発明の実施例の第１態様によれば、ユーザ端末に用いられ、セル再選択過程において隣接セルを検出する方法を提供する。
【０００９】
該方法は、ユーザ端末に接続状態からアイドル状態に切り替えることを指示し、少なくとも１つの周波数帯域が含まれた第１周波数帯域グループを含む第１メッセージを受信することと、上記第１周波数帯域グループに基づいて上記ユーザ端末に記憶された第２周波数帯域グループを更新することと、セル再選択を実行する場合、更新後の上記第２周波数帯域グループにおける上記少なくとも１つの周波数帯域で隣接セルを検出することと、を含む。
【００１０】
好ましくは、上記第１メッセージにはさらに上記少なくとも１つの周波数帯域の優先度が含まれ、上記更新後の上記第２周波数帯域グループにおける上記少なくとも１つの周波数帯域で隣接セルを検出することは、上記少なくとも１つの周波数帯域の優先度に基づいて、上記少なくとも１つの周波数帯域で隣接セルを検出することを含む。
【００１１】
好ましくは、上記第１周波数帯域グループは、システムが指定していない状況において上記ユーザ端末が隣接セルを検出する各周波数帯域を含む汎用周波数帯域を含み、上記第１周波数帯域グループに基づいて上記ユーザ端末に記憶された第２周波数帯域グループを更新することは、上記第２周波数帯域グループに汎用周波数帯域が含まれた場合、上記第１周波数帯域グループにおける汎用周波数帯域に基づいて上記第２周波数帯域グループにおける汎用周波数帯域を更新することと、上記第２周波数帯域グループに、汎用周波数帯域、及びシステムが上記ユーザ端末に隣接セルの検出を指定する各周波数帯域を含む専用周波数帯域が含まれた場合、上記第１周波数帯域グループにおける汎用周波数帯域に基づいて上記第２周波数帯域グループにおける汎用周波数帯域を更新し、上記第２周波数帯域グループにおける専用周波数帯域を削除することと、を含む。
【００１２】
好ましくは、上記第１周波数帯域グループに、システムが指定していない状況において上記ユーザ端末が隣接セルを検出する各周波数帯域を含む汎用周波数帯域と、システムが上記ユーザ端末に隣接セルの検出を指定する各周波数帯域を含む専用周波数帯域とが含まれ、上記第１周波数帯域グループに基づいて上記ユーザ端末に記憶された上記第２周波数帯域グループを更新することは、上記第２周波数帯域グループに汎用周波数帯域が含まれた場合、上記第１周波数帯域グループにおける専用周波数帯域を上記第２周波数帯域グループに加え、上記第１周波数帯域グループにおける汎用周波数帯域に基づいて上記第２周波数帯域グループにおける汎用周波数帯域を更新することと、上記第２周波数帯域グループに汎用周波数帯域及び専用周波数帯域が含まれた場合、上記第１周波数帯域グループにおける汎用周波数帯域及び専用周波数帯域に基づいて上記第２周波数帯域グループにおける汎用周波数帯域及び専用周波数帯域を更新することと、を含む。
【００１３】
好ましくは、上記第１メッセージは、無線リソース制御接続解放メッセージ（ＲＲＣ  Ｃｏｎｎｅｃｔｉｏｎ  Ｒｅｌｅａｓｅ）である。
【００１４】
本発明の実施例の第２態様によれば、基地局に用いられ、セル再選択過程において隣接セルを検出する方法を提供する。
【００１５】
該方法は、ユーザ端末が接続状態からアイドル状態に切り替えられる条件を満たすか否かを検出することと、ユーザ端末が接続状態からアイドル状態に切り替えられる条件を満たす場合、上記ユーザ端末に、接続状態からアイドル状態に切り替えることをユーザ端末に指示し、少なくとも１つの周波数帯域が含まれた第１周波数帯域グループを含む第１メッセージを送信することと、を含む。
【００１６】
好ましくは、上記第１メッセージは、無線リソース制御接続解放メッセージ（ＲＲＣ  Ｃｏｎｎｅｃｔｉｏｎ  Ｒｅｌｅａｓｅ）である。
【００１７】
本発明の実施例の第３態様によれば、ユーザ端末に用いられ、セル再選択過程において隣接セルを検出する装置を提供する。
【００１８】
該装置は、ユーザ端末に接続状態からアイドル状態に切り替えることを指示し、少なくとも１つの周波数帯域が含まれた第１周波数帯域グループを含む第１メッセージを受信する受信モジュールと、上記第１周波数帯域グループに基づいて上記ユーザ端末に記憶された第２周波数帯域グループを更新する更新モジュールと、セル再選択を実行する場合、更新後の上記第２周波数帯域グループにおける上記少なくとも１つの周波数帯域で隣接セルを検出する検出モジュールと、を含む。
【００１９】
好ましくは、上記受信モジュールにより受信された第１メッセージには、さらに上記少なくとも１つの周波数帯域の優先度が含まれ、上記検出モジュールは、上記少なくとも１つの周波数帯域の優先度に基づき、上記少なくとも１つの周波数帯域で隣接セルを検出する。
【００２０】
好ましくは、上記更新モジュールは、上記第１周波数帯域グループに、システムが指定していない状況において上記ユーザ端末が隣接セルを検出する各周波数帯域を含む汎用周波数帯域が含まれた場合、上記第２周波数帯域グループに汎用周波数帯域が含まれると、上記第１周波数帯域グループにおける汎用周波数帯域に基づいて上記第２周波数帯域グループにおける汎用周波数帯域を更新する第１更新サブモジュールと、上記第１周波数帯域グループに汎用周波数帯域が含まれた場合、前記第２周波数帯域グループに、汎用周波数帯域、及びシステムが上記ユーザ端末に隣接セルの検出を指定する各周波数帯域を含む汎用周波数帯域が含まれると、上記第１周波数帯域グループにおける汎用周波数帯域に基づいて上記第２周波数帯域グループにおける汎用周波数帯域を更新し、上記第２周波数帯域グループにおける専用周波数帯域を削除する第２更新サブモジュールと、を含む。
【００２１】
好ましくは、上記更新モジュールは、上記第１周波数帯域グループに、システムが指定していない状況において上記ユーザ端末が隣接セルを検出する各周波数帯域を含む汎用周波数帯域と、システムが上記ユーザ端末に隣接セルの検出を指定する各周波数帯域を含む専用周波数帯域とが含まれた場合、上記第２周波数帯域グループに汎用周波数帯域が含まれると、上記第１周波数帯域グループにおける専用周波数帯域を上記第２周波数帯域グループに加え、上記第１周波数帯域グループにおける汎用周波数帯域に基づいて上記第２周波数帯域グループにおける汎用周波数帯域を更新する第３更新サブモジュールと、上記第１周波数帯域グループに汎用周波数帯域及び専用周波数帯域が含まれた場合、上記第２周波数帯域グループに汎用周波数帯域及び専用周波数帯域が含まれると、上記第１周波数帯域グループにおける汎用周波数帯域及び専用周波数帯域に基づいて、上記第２周波数帯域グループにおける汎用周波数帯域及び専用周波数帯域を更新する第４更新サブモジュールと、を含む。
【００２２】
好ましくは、上記第１メッセージは、無線リソース制御接続解放メッセージ（ＲＲＣ  Ｃｏｎｎｅｃｔｉｏｎ  Ｒｅｌｅａｓｅ）である。
【００２３】
本発明の実施例の第４態様によれば、基地局に用いられ、セル再選択過程において隣接セルを検出する装置を提供する。
【００２４】
該装置は、ユーザ端末が接続状態からアイドル状態に切り替えられる条件を満たすか否かを検出する切替検出モジュールと、ユーザ端末が接続状態からアイドル状態に切り替えられる条件を満たす場合、上記ユーザ端末に、接続状態からアイドル状態に切り替えることをユーザ端末に指示し、少なくとも１つの周波数帯域が含まれた第１周波数帯域グループを含む第１メッセージを送信する送信モジュールと、を含む。
【００２５】
好ましくは、上記装置において、第１メッセージは、無線リソース制御接続解放メッセージ（ＲＲＣ  Ｃｏｎｎｅｃｔｉｏｎ  Ｒｅｌｅａｓｅ）である。
【００２６】
本発明の実施例の第５態様によれば、ユーザ端末に用いられ、セル再選択過程において隣接セルを検出する装置を提供する。
【００２７】
該装置は、プロセッサと、上記プロセッサによって実行可能なコマンドを記憶するメモリと、を含み、上記プロセッサは、ユーザ端末に接続状態からアイドル状態に切り替えることを指示し、少なくとも１つの周波数帯域が含まれた第１周波数帯域グループを含む第１メッセージを受信し、上記第１周波数帯域グループに基づいて上記ユーザ端末に記憶された第２周波数帯域グループを更新し、セル再選択を実行する場合、更新後の上記第２周波数帯域グループにおける上記少なくとも１つの周波数帯域で隣接セルを検出するように構成される。
【００２８】
本発明の実施例の第６態様によれば、基地局に用いられ、セル再選択過程において隣接セルを検出する装置を提供する。
【００２９】
該装置は、プロセッサと、上記プロセッサによって実行可能なコマンドを記憶するメモリと、を含み、上記プロセッサは、ユーザ端末が接続状態からアイドル状態に切り替えられる条件を満たすか否かを検出し、ユーザ端末が接続状態からアイドル状態に切り替えられる条件を満たす場合、上記ユーザ端末に、接続状態からアイドル状態に切り替えることをユーザ端末に指示し、少なくとも１つの周波数帯域が含まれた第１周波数帯域グループを含む第１メッセージを送信するように構成される。
【発明の効果】
【００３０】
本発明の実施例により提供される技術案は、以下のような効果を有する。
【００３１】
ユーザ端末に接続状態からアイドル状態に切り替えることを指示し、少なくとも１つの周波数帯域が含まれた第１周波数帯域グループを含む第１メッセージを受信し、該第１周波数帯域グループに基づいて該ユーザ端末に記憶された第２周波数帯域グループを更新し、セル再選択を実行する場合、更新後の上記第２周波数帯域グループにおける上記少なくとも１つの周波数帯域で隣接セルを検出することにより、実際の応用において、ＵＥが遠く離れた位置に速く移動して新しいセルにアクセスされた後、ＵＥが少量の周波数帯域で信号品質を検出することを指定する専用シグナリングがまだ有効であり、上記セルの隣接セルが位置している周波数帯域と専用シグナリングにより信号品質の検出が指定された周波数帯域が異なるため、ＵＥが隣接セルをスムーズに検出できない問題を解決し、ＵＥが隣接セルを検出する成功率を向上させ、ＵＥとシステムの通信接続の安定性を保証する。
【００３２】
以上の一般的な説明と後の詳細な説明は、例示的なものに過ぎず、本発明を限定するものではないことを理解すべきである。
【図面の簡単な説明】
【００３３】
添付の図面は、明細書に含まれて、本明細書の一部を構成し、本発明に適合する実施例を示し、明細書と共に本発明の原理を解釈するのに用いられる。
【図１】一つの例示的な実施例により示されたセル再選択過程において隣接セルを検出する方法に係る実施環境を示す模式図である。
【図２】一つの例示的な実施例により示されたセル再選択過程において隣接セルを検出する方法のフローチャートである。
【図３】一つの例示的な実施例により示されたセル再選択過程において隣接セルを検出する方法のフローチャートである。
【図４】一つの例示的な実施例により示されたセル再選択過程において隣接セルを検出する方法のフローチャートである。
【図５】一つの例示的な実施例により示されたセル再選択過程において隣接セルを検出する装置のブロック図である。
【図６】一つの例示的な実施例により示されたセル再選択過程において隣接セルを検出する装置のブロック図である。
【図７】一つの例示的な実施例により示された装置のブロック図である。
【発明を実施するための形態】
【００３４】
ここでは、例示的な実施例について、詳しく説明する。その実例は図面に示されている。以下の説明が図面に関わる場合、特別な説明がない限り、異なる図面における同じ符号は、同一又は類似した要素を示している。以下の例示的な実施例に記載された実施形態は、本発明と一致する全ての実施形態を代表するわけではない。反対に、それらは添付した特許請求の範囲に記載された本発明の一部の態様と一致する装置と方法の例に過ぎない。
【００３５】
図１は本発明により示されたセル再選択過程において隣接セルを検出する方法に係る実施環境の模式図である。当該実施環境は、基地局１１１、基地局１１２、基地局１１３及びユーザ端末１２０を含むことができる。
【００３６】
基地局１１１、基地局１１２及び基地局１１３は、移動通信サービスを提供する通信セルの基地局であってもよい。１つのセルラ通信ネットワークにおいて、１つの基地局は１つ又は複数の通信セルを支持し、複数の基地局に支持される通信セルが１つの通信ネットワークを構成し、各基地局はいずれもそれを中心として一定の範囲内のユーザ端末１２０に特定の周波数帯域の通信サービスを提供することができる。例えば、図１において、基地局を円心とする点線の円により被覆される範囲が該基地局の通信範囲である。基地局とユーザ端末１２０は無線信号を介して通信する。
【００３７】
例えば、図１における基地局は、基地局１１１、基地局１１２及び基地局１１３を含む。各基地局と各基地局により支持されるセル周波数帯域との対応関係は以下のとおりである。基地局１１１により支持されるセルの周波数帯域はＡ０１であり、基地局１１２により支持されるセルの周波数帯域はＡ０２であり、基地局１１３により支持されるセルの周波数帯域はＡ０３である。本実施例は本発明の実現可能な形態を説明するためのものに過ぎず、基地局の数、信号被覆範囲及び配設位置関係に対しては限定しない。
【００３８】
図１を参照すると、ユーザ端末１２０が基地局１１１に覆われた通信範囲内に位置した場合、ユーザ端末は周波数帯域Ａ０１を用いて基地局１１１にアクセスし、ユーザ端末１２０が基地局１１１に覆われた位置（図１において点線枠により示された端末形状）から基地局１１２と基地局１１３が同時に被覆する位置に移動した場合、システムは、負荷最適化配置などの要素に基づいて、ユーザ端末のサービング基地局を基地局１１２又は基地局１１３に切り替える。この場合、システムがユーザ端末を接続状態からアイドル状態に切り替えると、システムはユーザ端末に第１メッセージを送信する。その後、ユーザ端末は、隣接セルを検出し始め、ユーザ端末において第１メッセージにより更新された第２周波数帯域グループに基づいて、第２周波数帯域グループに記憶された周波数帯域の信号強度を検出し、信号が強いセルを選択してネットワークを介してアクセスする。
【００３９】
ユーザ端末１２０は、携帯電話、ノートパソコン、タブレットパソコン、ウェアラブルスマートデバイス、車載コンピュータ又はスマート航空機などの、基地局１１１、基地局１１２又は基地局１１３との通信接続が可能であり、セルラ通信ネットワークにアクセス可能な機器であってもよい。
【００４０】
本実施例における基地局１１１、基地局１１２、基地局１１３及びユーザ端末１２０は、セルラ通信ネットワークに応用されることができ、該セルラ通信ネットワークは、ＬＴＥ（Ｌｏｎｇ  Ｔｅｒｍ  Ｅｖｏｌｕｔｉｏｎ、ロングタームエボリューション）又はＬＴＥ−Ａｄｖａｎｃｅｄ（Ｌｏｎｇ  Ｔｅｒｍ  Ｅｖｏｌｕｔｉｏｎ  Ａｄｖａｎｃｅｄ、ロングタームエボリューションアドバンスト）移動通信規格を満たすネットワーク、ＶｏＬＴＥ（Ｖｏｉｃｅ  ｏｎ  Ｌｏｎｇ  Ｔｅｒｍ  Ｅｖｏｌｕｔｉｏｎ、ボイスオンロングタームエボリューション）技術を使用するネットワークを含むがそれに限定されない。
【００４１】
以下、図１に示された実施環境を例として、本発明の各実施例により提供される技術案に対して紹介および説明を行う。
【００４２】
図２は一つの例示的な実施例により示されたセル再選択過程において隣接セルを検出する方法のフローチャートであり、該方法は図１に示された実施環境のユーザ端末１２０に応用されることができる。該セル再選択過程において隣接セルを検出する方法は、以下のステップを含むことができる。
【００４３】
ステップ２０１において、ユーザ端末は、接続状態からアイドル状態に切り替えることをユーザ端末に指示し、少なくとも１つの周波数帯域が含まれた第１周波数帯域グループを含む第１メッセージを受信する。
【００４４】
ステップ２０２において、ユーザ端末は、当該第１周波数帯域グループに基づいて、ユーザ端末に記憶された第２周波数帯域グループを更新する。
【００４５】
ステップ２０３において、ユーザ端末は、セル再選択を行う場合、更新後の当該第２周波数帯域グループにおける当該少なくとも１つの周波数帯域で隣接セルを検出する。
【００４６】
上記により、本発明の実施例により提供されるセル再選択過程において隣接セルを検出する方法において、ユーザ端末により、接続状態からアイドル状態に切り替えることをユーザ端末に指示し、少なくとも１つの周波数帯域が含まれた第１周波数帯域グループを含む第１メッセージを受信し、ユーザ端末により、当該第１周波数帯域グループに基づいて、当該ユーザ端末に記憶された第２周波数帯域グループを更新し、ユーザ端末により、セル再選択を行う場合、更新後の当該第２周波数帯域グループにおける当該少なくとも１つの周波数帯域で隣接セルを検出することにより、実際の応用において、ＵＥが遠く離れた位置に速く移動して新しいセルにアクセスされた後、ＵＥに少量の周波数帯域で信号品質を検出することを指定する専用シグナリングがまだ有効であり、当該セルの隣接セルが位置している周波数帯域と専用シグナリングにより信号品質の検出が指定された周波数帯域が異なるため、ＵＥが隣接セルをスムーズに検出できない問題を解決し、ＵＥが隣接セルを検出する成功率を向上させ、ＵＥとシステムの通信接続の安定性を保証する。
【００４７】
図３は一つの例示的な実施例により示されたセル再選択過程において隣接セルを検出する方法のフローチャートであり、該方法は図１に示すような実施環境の基地局に応用されることができ、基地局は基地局１１１、基地局１１２及び基地局１１３のいずれか１つ又は複数であってもよい。当該セル再選択過程において隣接セルを検出する方法は、以下のステップを含むことができる。
【００４８】
ステップ３０１において、基地局は、ユーザ端末が接続状態からアイドル状態に切り替えられる条件を満たすか否かを検出する。
【００４９】
ステップ３０２において、ユーザ端末が接続状態からアイドル状態に切り替えられる条件を満たす場合、基地局は当該ユーザ端末に、接続状態からアイドル状態に切り替えることをユーザ端末に指示し、少なくとも１つの周波数帯域が含まれた第１周波数帯域グループを含む第１メッセージを送信する。
【００５０】
上記により、本発明の実施例により提供されるセル再選択過程において隣接セルを検出する方法は、基地局によって、ユーザ端末が接続状態からアイドル状態に切り替えられる条件を満たすか否かを検出し、ユーザ端末が接続状態からアイドル状態に切り替えられる条件を満たす場合、基地局から当該ユーザ端末に、接続状態からアイドル状態に切り替えることをユーザ端末に指示し、少なくとも１つの周波数帯域が含まれた第１周波数帯域グループを含む第１メッセージを送信することにより、実際の応用において、ＵＥが遠く離れた位置に速く移動して新しいセルにアクセスされた後、ＵＥに少量の周波数帯域で信号品質を検出することを指定する専用シグナリングがまだ有効であり、当該セルの隣接セルが位置している周波数帯域と専用シグナリングにより信号品質の検出が指定された周波数帯域が異なるため、ＵＥが隣接セルをスムーズに検出できない問題を解決し、ＵＥが隣接セルを検出する成功率を向上させ、ＵＥとシステムの通信接続の安定性を保証する。
【００５１】
図４はもう一つの例示的な実施例により示されたセル再選択過程において隣接セルを検出する方法のフローチャートである。該方法を図１の当該実施環境に適用したことを例として説明する。図４を参照すると、当該方法は以下のステップを含むことができる。
【００５２】
ステップ４０１において、基地局は、ユーザ端末が接続状態からアイドル状態に切り替えられる条件を満たすか否かを検出する。
【００５３】
ユーザ端末が接続状態からアイドル状態に切り替えられることは、基地局から無線信号指示を送信することにより遂行される。例えば、ユーザ端末と基地局の間にデータ交換がなく、その状態が一定の時間持続する場合、基地局は、ユーザ端末が接続状態からアイドル状態に切り替えられることができると判断し、さもなければ、ユーザ端末と基地局は依然として通信接続を維持し、ユーザ端末は接続状態にある。ここで、ユーザ端末と基地局の間のデータ交換は、ユーザ端末がネットワークにアクセスする際に発生するデータパケット、又は、ユーザ端末と他の機器が交換した音声データパケットを含むがそれに限定されない。例えば、ユーザーがユーザ端末を利用してインターネットを使う場合に発生するデータパケット、又は、ユーザーがユーザ端末を利用して他の機器と音声通話、ビデオ通話をする場合に発生するデータパケットである。
【００５４】
ステップ４０２において、ユーザ端末が接続状態からアイドル状態に切り替えられる条件を満たす場合、基地局は当該ユーザ端末に第１周波数帯域グループを含む第１メッセージを送信する。
【００５５】
当該第１メッセージは、ユーザ端末に接続状態からアイドル状態に切り替えることを指示するのに用いられ、当該第１周波数帯域グループには少なくとも１つの周波数帯域が含まれる。
【００５６】
ユーザ端末がある基地局により支持されるセルにアクセスされる場合、ユーザ端末は当該基地局とデータ交換をするか否かに基づいて接続状態及びアイドル状態に入ることができる。ユーザ端末と基地局がデータ交換をする場合、ネットワーク接続を維持するために、ユーザ端末は接続状態になる。接続状態のユーザ端末と基地局の間のデータ交換が完了した後、基地局はユーザ端末に第１メッセージを送信する。この場合、ユーザ端末は基地局からの、ユーザ端末に接続状態からアイドル状態に切り替えることを指示するコマンドが含まれた第１メッセージを受信する。ユーザ端末は当該コマンドに基づいて、自身の状態を接続状態からアイドル状態に切り替えて、消費電力を節約し、占用された通信リソースを解放させる。
【００５７】
本発明の実施例において、基地局がユーザ端末に第１メッセージを送信する場合、当該第１メッセージは、少なくとも１つの周波数帯域が含まれた第１周波数帯域グループを含む。当該少なくとも１つの周波数帯域は、ユーザ端末が隣接セルを検出する時にすべての周波数帯域を検出できることを保証するために、できる限り多くの周波数帯域を選ぶべきである。例えば、１つの通信システムにおいて、合計２０個の周波数帯域でネットワークサービスを提供する場合、本発明における当該少なくとも１つの周波数帯域はこの２０個の周波数帯域における大部分又は全部を含むことができ、又は、システムにおいて合計２０個の周波数帯域でネットワークサービスを提供し、ユーザ端末の現在地を覆う周波数帯域が１０個ある場合、上記少なくとも１つの周波数帯域はユーザ端末の現在地を覆う１０個の周波数帯域における大部分又は全部を含むことができる。
【００５８】
ステップ４０３において、ユーザ端末は第１メッセージを受信する。
【００５９】
ユーザ端末がセル再選択過程において隣接セルを検出する場合、そのローカルに記憶された、隣接セルを検出する第２周波数帯域グループに含まれた周波数帯域は、以下の二種類がある。その１つは、システムが指定していない状況においてユーザ端末が隣接セルを検出する各周波数帯域であり、当該システムが指定していない状況においてユーザ端末が隣接セルを検出する各周波数帯域により構成される周波数帯域グループを汎用周波数帯域と称することができ、当該汎用周波数帯域は基地局から送信されるブロードキャストメッセージにより取得され、更新されることができる。もう１つは、システムが指定した状況においてユーザ端末が隣接セルを検出する各周波数帯域であり、当該システムが指定した状況においてユーザ端末が隣接セルを検出する各周波数帯域を専用周波数帯域と称することができ、当該専用周波数帯域は基地局から専用シグナリングを介して送信される。例えば、基地局は、負荷分散の目的に基づいて、ユーザ端末に専用周波数帯域を含む専用シグナリングを送信する。当該専用シグナリングは、自身の有効時限が有り、ユーザ端末に、当該有効時限内に汎用周波数帯域を無視し、当該専用シグナリングに含まれた専用周波数帯域に基づいて隣接セルを検出することを指示し、当該有効時限に達した後、当該専用周波数帯域は無効になり、ユーザ端末は次の専用シグナリングを受信するまで、汎用周波数帯域を利用して隣接セルを検出する。通常の場合、ユーザ端末が受信した専用シグナリングに含まれた専用周波数帯域はユーザ端末のローカルに記憶された汎用周波数帯域の一部であり、又は、専用シグナリングに含まれた専用周波数帯域はユーザ端末のローカルに記憶された汎用周波数帯域と一部重なる。例えば、ユーザ端末がある時刻にある時、今回記憶した第２周波数帯域グループにおける汎用周波数帯域はａ、ｂ、ｃ及びｄの４つの周波数帯域を含む場合、ユーザ端末が受信した専用シグナリングは周波数帯域ａ及びｂのみを含んでもよく、又は、周波数帯域ａ及びｆを含んでもよい。
【００６０】
本発明の実施例において、当該第１メッセージにおける第１周波数帯域グループは汎用周波数帯域のみを含んでもよく、汎用周波数帯域と専用周波数帯域を同時に含んでもよい。この２つの場合、ユーザ端末が第１周波数帯域グループに基づいてローカルに記憶された第２周波数帯域グループを更新する過程は、以下のステップ４０４、ステップ４０５、ステップ４０６又はステップ４０７に示す通りである。
【００６１】
ステップ４０４において、第１周波数帯域グループに汎用周波数帯域が含まれる場合、当該第２周波数帯域グループに汎用周波数帯域が含まれると、当該第１周波数帯域グループにおける汎用周波数帯域に基づいて、当該第２周波数帯域グループにおける汎用周波数帯域を更新する。
【００６２】
ユーザ端末が受信した第１周波数帯域グループに汎用周波数帯域のみが含まれ、ユーザ端末のローカルに記憶された第２周波数帯域グループにも汎用周波数帯域のみが含まれる場合、当該ユーザ端末は、ローカルに記憶された第２周波数帯域グループにおける汎用周波数帯域を、直接第１メッセージに含まれた第１周波数帯域グループにおける汎用周波数帯域に更新することができる。
【００６３】
ユーザ端末が新しいセルに移動し、まだ基地局から送信されたブロードキャストメッセージによってローカルに記憶された第２周波数帯域グループにおける汎用周波数帯域を更新しなかった場合、セル再選択を実行すると、ローカルに記憶された汎用周波数帯域に対応する隣接セルを検出できない可能性があるため、セル再選択ができなくなる。本発明の実施例において、基地局は、ユーザ端末がアイドル状態に入ったことを検出すると、ユーザ端末に第１メッセージを送信する。ユーザ端末は、第１メッセージにおける汎用周波数帯域に基づき、ローカルに記憶された汎用周波数帯域を更新することで、ユーザーが隣接セルをスムーズに検出できるように保証する。
【００６４】
ステップ４０５において、第１周波数帯域グループに汎用周波数帯域が含まれた場合、当該第２周波数帯域グループに汎用周波数帯域、及びシステムが当該ユーザ端末に隣接セルの検出を指定する各周波数帯域を含む専用周波数帯域が含まれると、当該第１周波数帯域グループにおける汎用周波数帯域に基づいて当該第２周波数帯域グループにおける汎用周波数帯域を更新し、当該第２周波数帯域グループにおける専用周波数帯域を削除する。
【００６５】
ユーザ端末が受信した第１周波数帯域グループには汎用周波数帯域のみが含まれ、ユーザ端末のローカルに記憶された第２周波数帯域グループには汎用周波数帯域だけでなく、専用周波数帯域も含まれた場合、当該ユーザ端末は、ローカルに記憶された第２周波数帯域グループにおける汎用周波数帯域を直接に第１メッセージに含まれた第１周波数帯域グループにおける汎用周波数帯域に更新すると同時に、第２周波数帯域グループにおける原の専用周波数帯域を削除することができる。
【００６６】
ユーザ端末が新しい領域に移動し、第２周波数帯域グループにおける専用周波数帯域がまだ効力を失っていない場合に、セル再選択を実行すると、第２周波数帯域グループにおける汎用周波数帯域が適時に更新されたとしても、ユーザ端末は当該汎用周波数帯域を無視し、効力を失っていない専用周波数帯域を利用して隣接セルを検出するため、当該専用周波数帯域に対応する隣接セルを検出できない可能性があり、これにより、セル再選択が実行できなくなる。本発明の実施例においては、第１メッセージを受信した後、ユーザ端末は、第１メッセージにおける汎用周波数帯域に基づいてローカルに記憶された汎用周波数帯域を更新するほか、ユーザ端末のローカルに効力を失っていない専用周波数帯域が記憶されていると、当該効力を失っていない専用周波数帯域を削除することで、ユーザ端末が適時に更新された汎用周波数帯域を利用して隣接セルを検出できるように保証する。
【００６７】
ステップ４０６において、当該第１周波数帯域グループに汎用周波数帯域及び専用周波数帯域が含まれた場合、当該第２周波数帯域グループに汎用周波数帯域が含まれると、当該専用周波数帯域を当該第２周波数帯域グループに加え、当該第１周波数帯域グループにおける当該汎用周波数帯域に基づいて当該第２周波数帯域グループにおける当該汎用周波数帯域を更新する。
【００６８】
ユーザ端末が受信した第１周波数帯域グループには汎用周波数帯域および専用周波数帯域が含まれるが、ユーザ端末のローカルに記憶された第２周波数帯域グループには汎用周波数帯域のみが含まれた場合、当該ユーザ端末は、ローカルに記憶された第２周波数帯域グループにおける汎用周波数帯域を第１メッセージに含まれた第１周波数帯域グループにおける汎用周波数帯域に更新することができると同時に、第２周波数帯域グループに第１メッセージに含まれた第１周波数帯域グループにおける専用周波数帯域を加えることができる。
【００６９】
ステップ４０７において、当該第１周波数帯域グループに汎用周波数帯域及び専用周波数帯域が含まれた場合、当該第２周波数帯域グループに当該汎用周波数帯域及び専用周波数帯域が含まれると、当該第１周波数帯域グループにおける当該汎用周波数帯域及び専用周波数帯域に基づいて、当該第２周波数帯域グループにおける当該汎用周波数帯域及び専用周波数帯域を更新する。
【００７０】
ユーザ端末が受信した第１周波数帯域グループに汎用周波数帯域及び専用周波数帯域が含まれ、ユーザ端末のローカルに記憶された第２周波数帯域グループにも汎用周波数帯域及び専用周波数帯域が含まれる場合、当該ユーザ端末は、ローカルに記憶された第２周波数帯域グループにおける汎用周波数帯域を第１メッセージに含まれた第１周波数帯域グループにおける汎用周波数帯域に更新することができ、ローカルに記憶された第２周波数帯域グループにおける専用周波数帯域を第１メッセージに含まれた第１周波数帯域グループにおける専用周波数帯域に更新することができる。
【００７１】
ユーザ端末が新しい領域に移動した場合、ネットワークの負荷分散の目的に基づいて、基地局は、第１メッセージの第１周波数帯域グループに汎用周波数帯域を含ませるほか、当該第１周波数帯域グループに専用周波数帯域をさらに含ませることで、ユーザ端末に専用周波数帯域で隣接セルを検出することを指示することができる。当該第１メッセージに含まれた第１周波数帯域グループにおける専用周波数帯域は、同様に、対応する有効時限を有し、当該有効時限に達した後、ユーザ端末は、次の専用シグナリング又は次の第１メッセージを受信するまで、汎用周波数帯域を利用して隣接セルを検出する。
【００７２】
ステップ４０８において、セル再選択を実行する場合、ユーザ端末は更新後の当該第２周波数帯域グループにおける当該少なくとも１つの周波数帯域で隣接セルを検出する。
【００７３】
好ましくは、当該第１メッセージは少なくとも１つの周波数帯域の優先度をさらに含んでもよく、この場合、ユーザ端末は当該少なくとも１つの周波数帯域の優先度に基づいて、当該少なくとも１つの周波数帯域で隣接セルを検出することができる。
【００７４】
本発明の実施例において、上記第１メッセージに含まれた第１周波数帯域グループにおける各汎用周波数帯域及び専用周波数帯域にはそれぞれの優先度がさらに対応されており、ユーザ端末が更新後の汎用周波数帯域又は専用周波数帯域に基づいて隣接セルを検出する場合、汎用周波数帯域又は専用周波数帯域に含まれた各周波数帯域の優先度の順番に従って検出することができる。
【００７５】
例えば、以下の表１に示すように、第１メッセージに含まれた第１周波数帯域グループにおける汎用周波数帯域は、５つの周波数帯域及び５つの周波数帯域に対応する優先度を含む。
【表１】
0006383011.tif 000002
【００７６】
表１によれば、ユーザ端末がローカルに記憶された第２周波数帯域グループにおける汎用周波数帯域を更新し、汎用周波数帯域に基づいて隣接セルを検出する場合、まず、優先度が最も高い「高」クラスに対応する周波数帯域Ａ１２を選んで検出し、周波数帯域Ａ１２に対応する隣接セルの信号強度がユーザ端末のセル再選択時の閾値に達したことを検出した場合、ユーザ端末を現在接続されているセルから周波数帯域Ａ１２に対応するセルに切り替えてアクセスさせ、周波数帯域Ａ１２に対応する隣接セルが検出されなかった場合、又は周波数帯域Ａ１２に対応する隣接セルの信号強度がユーザ端末のセル再選択時の閾値に達していないことを検出した場合、優先度が次に高い「中」クラスに対応する周波数帯域Ａ１３及びＡ１４を選んで隣接セルを検出し、周波数帯域Ａ１３又はＡ１４に対応する隣接セルの信号強度が隣接セル検出時の閾値より小さくないことを検出した場合、ユーザ端末を、現在接続されているセルから周波数帯域Ａ１３又はＡ１４に対応する隣接セルにおいて、信号強度が隣接セル検出時の閾値より小さくないセルに切り替えてアクセスさせ、周波数帯域Ａ１３又はＡ１４に対応する隣接セルの信号強度がいずれも当該隣接セル検出時の閾値より小さくない場合、ユーザ端末を、現在接続されているセルからそのうちの信号強度が高い又は最初に検出された隣接セルに切り替えてアクセスさせ、周波数帯域Ａ１３及びＡ１４に対応する隣接セルが検出されておらず、又は周波数帯域Ａ１３及びＡ１４に対応する隣接セルの信号強度がいずれも当該隣接セル検出時の閾値より小さい場合、優先度クラスが「低」である周波数帯域Ａ１１及びＡ１５を選んで隣接セルを検出し、周波数帯域Ａ１１及びＡ１５に対応する隣接セルが検出されておらず、又は周波数帯域Ａ１１及びＡ１５に対応する隣接セルの信号強度も全て当該隣接セル検出時の閾値より小さい場合、ユーザー端末が現在アクセスされているセルをそのまま維持し、今回のセル再選択を終了する。
【００７７】
同様に、第１メッセージに含まれた第１周波数帯域グループにおける専用周波数帯域もそれぞれの優先度に対応し、ユーザ端末が更新又は新たに加えられた当該専用周波数帯域に基づいて隣接セルを検出する場合、その検出過程は、当該ユーザ端末が汎用周波数帯域及び専用周波数帯域の優先度に基づいて隣接セルを検出する過程と類似するため、ここで詳細な説明を省略する。
【００７８】
好ましくは、当該第１メッセージは無線リソース制御接続解放メッセージ（ＲＲＣ  Ｃｏｎｎｅｃｔｉｏｎ  Ｒｅｌｅａｓｅ）であってもよい。本発明の実施例において、ＲＲＣ  Ｃｏｎｎｅｃｔｉｏｎ  Ｒｅｌｅａｓｅメッセージに、予め設定した専用シグナリングドメインを加えることができ、ユーザ端末がＲＲＣ  Ｃｏｎｎｅｃｔｉｏｎ  Ｒｅｌｅａｓｅメッセージを受信した後、当該ＲＲＣ  Ｃｏｎｎｅｃｔｉｏｎ  Ｒｅｌｅａｓｅメッセージに当該専用シグナリングドメインがない場合、ユーザ端末は、ユーザ端末に記憶された汎用周波数帯域又は専用周波数帯域に基づいて隣接セルを検出し、当該ＲＲＣ  Ｃｏｎｎｅｃｔｉｏｎ  Ｒｅｌｅａｓｅメッセージに当該専用シグナリングドメインが設けられている場合、ユーザ端末は、まず当該専用シグナリングドメインに基づいてそのローカルに記憶された第２周波数帯域グループを更新し、更新後の第２周波数帯域グループにおける汎用周波数帯域又は専用周波数帯域に基づいて隣接セルを検出する。上記の専用シグナリングドメインは、上記第１周波数帯域グループを携帯するために用いられる。
【００７９】
好ましくは、当該第１メッセージは、当該無線リソース制御接続解放メッセージの作用と同様又は類似した他のメッセージであってもよく、本発明は第１メッセージの他の実現可能な態様に対して限定しない。
【００８０】
一つの実現可能な態様において、図１を参照すると、ユーザ端末１２０が基地局１１１の信号により被覆されるセルに位置している場合、ユーザ端末１２０はシステムが負荷分散の目的に基づいて送信した専用シグナリングを受信する。当該専用シグナリングはユーザ端末１２０に隣接セルを検出する専用周波数帯域を提供し、例えば、当該専用周波数帯域はＡ２のみを含む。基地局１１１により支持されるセルの周波数帯域はＡ１であり、基地局１１２により支持されるセルの周波数帯域はＡ２である。ユーザ端末１２０が基地局１１１により支持されるセルから基地局１１２により支持されるセルに速く移動した後、現在接続されているセルは基地局１１１により支持されるセルから基地局１１２により支持されるセルに切り替えられ、この時、前に受信した専用シグナリングがまだ有効であると、ユーザ端末は専用シグナリングの有効時限が切れる前にアイドル状態に入り、隣接セルを検出する。この場合、周波数帯域Ａ２におけるセルしか検出できず、既に記憶された汎用周波数帯域における隣接セルは検出できないが、当該周波数帯域Ａ２におけるセルがユーザ端末が現在接続されているセルであるため、ユーザ端末は当該専用シグナリングの有効時限が切れる前にセル再選択を行うことができない。本発明の実施例により示された技術案によると、ユーザ端末１２０に接続されているセルが基地局１１１により支持されるセルから基地局１１２により支持されるセルに切り替えられた後、基地局１１１は、ユーザ端末１２０と基地局１１１との間でデータ交換を行う必要がないと判断した場合、ユーザ端末にＲＲＣ  Ｃｏｎｎｅｃｔｉｏｎ  Ｒｅｌｅａｓｅメッセージを送信して、ユーザ端末１２０を接続状態からアイドル状態に切り替える。当該ＲＲＣ  Ｃｏｎｎｅｃｔｉｏｎ  Ｒｅｌｅａｓｅメッセージには、ユーザ端末の現在地近傍の基地局により支持される各セルの周波数帯域（即ち第１周波数帯域グループ）が含まれている。ユーザ端末１２０は、セル再選択を実行するとき、当該ＲＲＣ  Ｃｏｎｎｅｃｔｉｏｎ  Ｒｅｌｅａｓｅメッセージに含まれた各周波数帯域に基づいて隣接セルを検出し、専用シグナリングがまだ有効であり、ユーザ端末が現在接続されているセルの隣接セルが所在する周波数帯域と専用シグナリングにより信号品質の検出が指定された周波数帯域が異なるため、ユーザ端末が隣接セルをスムーズに検出できない問題を避ける。
【００８１】
もう１つの実現可能な態様において、ユーザーが速度の速い交通手段、例えば、高速鉄道に乗っている場合、短時間で長距離を移動することができる。ユーザが短時間で長距離を移動した後、当該ユーザーのユーザ端末に記憶された汎用周波数帯域及び専用周波数帯域は現在アクセスされているセルの各隣接セルが所在する周波数帯域と異なる可能性がある。この場合、ユーザ端末における汎用周波数帯域が周囲の各隣接セルが所在する周波数帯域に更新できなかった場合、ユーザ端末における汎用周波数帯域の有効時限が既に切れたとしても、ユーザ端末は記憶された汎用周波数帯域に基づいて隣接セルを検出することができない。本発明の実施例により示された技術案によると、ユーザ端末が長距離を移動した後、基地局は、ユーザ端末と基地局の間でデータ交換を行う必要がないと判断した場合、ユーザ端末にＲＲＣ  Ｃｏｎｎｅｃｔｉｏｎ  Ｒｅｌｅａｓｅメッセージを送信して、ユーザ端末を接続状態からアイドル状態に切り替える。当該ＲＲＣ  Ｃｏｎｎｅｃｔｉｏｎ  Ｒｅｌｅａｓｅメッセージにユーザ端末の現在地近傍の基地局により支持される各セルの周波数帯域（即ち第１周波数帯域グループ）が含まれている。ユーザ端末は、セル再選択を実行するとき、当該ＲＲＣ  Ｃｏｎｎｅｃｔｉｏｎ  Ｒｅｌｅａｓｅメッセージに含まれた各周波数帯域に基づいて隣接セルを検出し、ユーザ端末が短時間で長距離を移動した後、適時に汎用周波数帯域を更新できず、ユーザ端末が現在接続されているセルの隣接セルが所在する周波数帯域と専用シグナリングにより信号品質の検出が指定された周波数帯域とが異なるため、ユーザ端末が隣接セルをスムーズに検出できない問題を避ける。
【００８２】
上記のように、本発明の実施例により提供されるセル再選択過程において隣接セルを検出する方法において、基地局は、ユーザ端末が接続状態からアイドル状態に切り替えられる条件を満たすことを検出した場合、ユーザ端末に、接続状態からアイドル状態に切り替えることをユーザ端末に指示し、少なくとも１つの周波数帯域が含まれた第１周波数帯域グループを含む第１メッセージを送信する。ユーザ端末は、当該第１周波数帯域グループに基づいて当該ユーザ端末に記憶された第２周波数帯域グループを更新する。ユーザ端末は、セル再選択を実行する場合、更新後の当該第２周波数帯域グループにおける当該少なくとも１つの周波数帯域で隣接セルを検出し、ユーザ端末が新しいセルに切り替えられ、その前に受信した専用シグナリングがまだ有効である場合、又は、ユーザ端末が遠く離れた位置に速く移動して新しいセルにアクセスされた後、ユーザ端末に記憶された汎用周波数帯域が適時に更新できなかった場合、ユーザ端末における汎用周波数帯域及び／又は専用周波数帯域を適時に更新することができ、上記の場合にユーザ端末が現在アクセスされているセルの隣接セルが所在する周波数帯域とユーザ端末における汎用周波数帯域及び／又は専用周波数帯域が異なるためユーザ端末が隣接セルをスムーズに検出できない問題を避け、ＵＥの隣接セルを検出する成功率を向上させ、ＵＥとシステムの通信接続の安定性を保証する。
【００８３】
図５は一つの例示的な実施例により示されたセル再選択過程において隣接セルを検出する装置のブロック図である。当該セル再選択の過程において隣接セルを検出する装置は、ハードウェア又はハードウェアとソフトウェアを組み合わせた形態により上記図１に示される実施環境におけるユーザ端末として実現され、図２又は図４に示すような実施例におけるユーザ端末により実行される全部又は一部のステップを実行することができる。図４を参照すると、当該装置は、受信モジュール５０１、更新モジュール５０２及び検出モジュール５０３を含む。
【００８４】
受信モジュール５０１は、ユーザ端末に接続状態からアイドル状態に切り替えることを指示し、少なくとも１つの周波数帯域が含まれた第１周波数帯域グループを含む第１メッセージを受信するように構成される。
【００８５】
更新モジュール５０２は、当該第１周波数帯域グループに基づいて当該ユーザ端末に記憶された第２周波数帯域グループを更新するように構成される。
【００８６】
検出モジュール５０３は、セル再選択を実行する場合、更新後の当該第２周波数帯域グループにおける当該少なくとも１つの周波数帯域で隣接セルを検出するように構成される。
【００８７】
好ましくは、当該受信モジュール５０１により受信された第１メッセージには、さらに当該少なくとも１つの周波数帯域の優先度が含まれる。
【００８８】
検出モジュール５０３は、さらに、当該少なくとも１つの周波数帯域の優先度に基づき、当該少なくとも１つの周波数帯域で隣接セルを検出する。
【００８９】
好ましくは、更新モジュール５０２は、第１更新サブモジュール５０２ａ及び第２更新サブモジュール５０２ｂを含む。
【００９０】
第１更新サブモジュール５０２ａは、当該第１周波数帯域グループに、システムが指定していない状況において該ユーザ端末が隣接セルを検出する各周波数帯域を含む汎用周波数帯域が含まれた場合、当該第２周波数帯域グループに汎用周波数帯域が含まれると、当該第１周波数帯域グループにおける汎用周波数帯域に基づいて当該第２周波数帯域グループにおける汎用周波数帯域を更新するように構成される。
【００９１】
第２更新サブモジュール５０２ｂは、当該第１周波数帯域グループに汎用周波数帯域が含まれた場合、当該第２周波数帯域グループに汎用周波数帯域、及びシステムが当該ユーザ端末に隣接セルの検出を指定する各周波数帯域を含む専用周波数帯域が含まれると、当該第１周波数帯域グループにおける汎用周波数帯域に基づいて当該第２周波数帯域グループにおける汎用周波数帯域を更新し、当該第２周波数帯域グループにおける当該専用周波数帯域を削除するように構成される。
【００９２】
好ましくは、更新モジュール５０２は、第３更新サブモジュール５０２ｃ及び第４更新サブモジュール５０２ｄを含む。
【００９３】
第３更新サブモジュール５０２ｃは、当該第１周波数帯域グループに、システムが指定していない状況において当該ユーザ端末が隣接セルを検出する各周波数帯域を含む汎用周波数帯域、及びシステムが当該ユーザ端末に隣接セルの検出を指定する各周波数帯域を含む専用周波数帯域が含まれた場合、当該第２周波数帯域グループに汎用周波数帯域が含まれると、当該第１周波数帯域グループにおける専用周波数帯域を当該第２周波数帯域グループに加え、当該第１周波数帯域グループにおける汎用周波数帯域に基づいて当該第２周波数帯域グループにおける汎用周波数帯域を更新するように構成される。
【００９４】
第４更新サブモジュール５０２ｄは、当該第１周波数帯域グループに汎用周波数帯域及び専用周波数帯域が含まれた場合、当該第２周波数帯域グループに汎用周波数帯域及び専用周波数帯域が含まれると、当該第１周波数帯域グループにおける汎用周波数帯域及び専用周波数帯域に基づいて、当該第２周波数帯域グループにおける汎用周波数帯域及び専用周波数帯域を更新するように構成される。
【００９５】
好ましくは、上記第１メッセージは無線リソース制御接続解放メッセージ（ＲＲＣ  Ｃｏｎｎｅｃｔｉｏｎ  Ｒｅｌｅａｓｅ）である。
【００９６】
要するに、本発明の実施例により提供されるセル再選択過程において隣接セルを検出する装置において、ユーザ端末が、ユーザ端末に接続状態からアイドル状態に切り替えることを指示し、少なくとも１つの周波数帯域が含まれた第１周波数帯域グループを含む第１メッセージを受信し、ユーザ端末は、当該第１周波数帯域グループに基づいて当該ユーザ端末に記憶された第２周波数帯域グループを更新し、ユーザ端末は、セル再選択を実行する場合、更新後の当該第２周波数帯域グループにおける当該少なくとも１つの周波数帯域で隣接セルを検出し、ユーザ端末が新しいセルに切り替えられ、その前に受信した専用シグナリングがまだ有効である場合、又は、ユーザ端末が遠く離れた位置に速く移動して新しいセルにアクセスされた後、ユーザ端末に記憶された汎用周波数帯域が適時に更新できなかった場合、ユーザ端末における汎用周波数帯域及び／又は専用周波数帯域を適時に更新することができ、上記の場合にユーザ端末が現在アクセスされているセルの隣接セルが所在する周波数帯域とユーザ端末における汎用周波数帯域及び／又は専用周波数帯域が異なるためユーザ端末が隣接セルをスムーズに検出できない問題を避け、ＵＥの隣接セルを検出する成功率を向上させ、ＵＥとシステムの通信接続の安定性を保証する。
【００９７】
図６は一つの例示的な実施例により示されたセル再選択過程において隣接セルを検出する装置のブロック図である。当該セル再選択過程において隣接セルを検出する装置は、ハードウェア又はハードウェアとソフトウェアを組み合わせた形態により上記図１に示される実施環境におけるユーザ端末として実現され、図３に示すような実施例におけるユーザ端末により実行される全部又は一部のステップを実行することができる。図６を参照すると、当該装置は、切替検出モジュール６０１及び送信モジュール６０２を含む。
【００９８】
切替検出モジュール６０１は、ユーザ端末が接続状態からアイドル状態に切り替えられる条件を満たすか否かを検出するように構成される。
【００９９】
送信モジュール６０２は、ユーザ端末が接続状態からアイドル状態に切り替えられる条件を満たす場合、当該ユーザ端末に、接続状態からアイドル状態に切り替えることをユーザ端末に指示し、少なくとも１つの周波数帯域が含まれた第１周波数帯域グループを含む第１メッセージを送信するように構成される。
【０１００】
好ましくは、上記第１メッセージは無線リソース制御接続解放メッセージ（ＲＲＣ  Ｃｏｎｎｅｃｔｉｏｎ  Ｒｅｌｅａｓｅ）である。
【０１０１】
上記により、本発明の実施例により提供されるセル再選択過程において隣接セルを検出する装置は、基地局によって、ユーザ端末が接続状態からアイドル状態に切り替えられる条件を満たすことを検出した場合、ユーザ端末に、ユーザ端末に接続状態からアイドル状態に切り替えることを指示し、少なくとも１つの周波数帯域が含まれた第１周波数帯域グループを含む第１メッセージを送信し、ユーザ端末は、当該第１周波数帯域グループに基づいて当該ユーザ端末に記憶された第２周波数帯域グループを更新し、ユーザ端末は、セル再選択を実行する場合、更新後の当該第２周波数帯域グループにおける当該少なくとも１つの周波数帯域で隣接セルを検出し、ユーザ端末が新しいセルに切り替えられ、その前に受信した専用シグナリングがまだ有効である場合、又は、ユーザ端末が遠く離れた位置に速く移動して新しいセルにアクセスされた後、ユーザ端末に記憶された汎用周波数帯域が適時に更新できなかった場合、ユーザ端末における汎用周波数帯域及び／又は専用周波数帯域を適時に更新することができ、上記の場合にユーザ端末が現在アクセスされているセルの隣接セルが所在する周波数帯域とユーザ端末における汎用周波数帯域及び／又は専用周波数帯域が異なるためユーザ端末が隣接セルをスムーズに検出できない問題を避け、ＵＥの隣接セルを検出する成功率を向上させ、ＵＥとシステムの通信接続の安定性を保証する。
【０１０２】
本発明の一つの例示的な実施例は、さらに、セル再選択過程において隣接セルを検出する装置を提供し、本発明の実施例により提供されるセル再選択過程において隣接セルを検出する方法を実現することができる。該装置は、ユーザ端末に応用され、プロセッサ及びプロセッサによって実行可能なコマンドを記憶するメモリを含む。
【０１０３】
当該プロセッサは、ユーザ端末に接続状態からアイドル状態に切り替えることを指示し、少なくとも１つの周波数帯域が含まれた第１周波数帯域グループを含む第１メッセージを受信し、当該第１周波数帯域グループに基づいて当該ユーザ端末に記憶された第２周波数帯域グループを更新し、セル再選択を実行する場合、当該少なくとも１つの周波数帯域に基づいて隣接セルを検出するように構成される。
【０１０４】
好ましくは、当該第１メッセージには、さらに当該少なくとも１つの周波数帯域の優先度が含まれ、当該少なくとも１つの周波数帯域に基づいて隣接セルを検出することは、当該少なくとも１つの周波数帯域及び当該少なくとも１つの周波数帯域の優先度に基づいて隣接セルを検出することを含む。
【０１０５】
好ましくは、第１周波数帯域グループに基づいて第２周波数帯域グループを更新することは、当該第１周波数帯域グループに、システムが指定していない状況において当該ユーザ端末が隣接セルを検出する各周波数帯域を含む汎用周波数帯域が含まれ、当該第２周波数帯域グループに汎用周波数帯域が含まれた場合、当該第１周波数帯域グループにおける汎用周波数帯域に基づいて当該第２周波数帯域グループにおける汎用周波数帯域を更新することと、当該第２周波数帯域グループに、汎用周波数帯域、及びシステムが当該ユーザ端末に隣接セルの検出を指定する各周波数帯域を含む専用周波数帯域は含まれた場合、当該第１周波数帯域グループにおける汎用周波数帯域に基づいて当該第２周波数帯域グループにおける汎用周波数帯域を更新し、当該第２周波数帯域グループにおける専用周波数帯域を削除することと、を含む。
【０１０６】
好ましくは、当該第１周波数帯域グループに基づいて第２周波数帯域グループを更新することは、当該第１周波数帯域グループに、汎用周波数帯域及び専用周波数帯域が含まれ、当該第２周波数帯域グループに当該汎用周波数帯域が含まれた場合、当該専用周波数帯域を当該第２周波数帯域グループに加え、当該第１周波数帯域グループにおける該汎用周波数帯域に基づいて当該第２周波数帯域グループにおける該汎用周波数帯域を更新することと、当該第２周波数帯域グループに汎用周波数帯域及び専用周波数帯域が含まれた場合、当該第１周波数帯域グループにおける該汎用周波数帯域及び専用周波数帯域に基づいて、当該第２周波数帯域グループにおける汎用周波数帯域及び専用周波数帯域を対応的に更新することと、を含む。
【０１０７】
好ましくは、当該第１メッセージは無線リソース制御接続解放メッセージ（ＲＲＣ  Ｃｏｎｎｅｃｔｉｏｎ  Ｒｅｌｅａｓｅ）である。
【０１０８】
本発明の一つの例示的な実施例は、さらに、もう一つのセル再選択過程において隣接セルを検出する装置を提供し、本発明の実施例により提供されるセル再選択過程において隣接セルを検出する方法を実現することができる。該装置は、基地局に応用され、プロセッサ及びプロセッサによって実行可能なコマンドを記憶するメモリを含む。
【０１０９】
当該プロセッサは、ユーザ端末が接続状態からアイドル状態に切り替えられる条件を満たすか否かを検出し、ユーザ端末が接続状態からアイドル状態に切り替えられる条件を満たす場合、当該ユーザ端末に、接続状態からアイドル状態に切り替えることをユーザ端末に指示し、少なくとも１つの周波数帯域が含まれた第１周波数帯域グループを含む第１メッセージを送信するように構成される。
【０１１０】
ここで説明すべきことは、上記実施例により提供される装置は、セル再選択過程において隣接セルを検出する方法を実行する場合、上記の各機能モジュールの仕分けで例示的に説明したが、実際の応用では、実際の必要に応じて上記機能を異なる機能モジュールに割り当てて遂行させることができ、即ち、機器のコンテンツ構造を異なる機能モジュールに仕分けて、上記に記載された全部又は一部の機能を遂行することができる。
【０１１１】
上記実施例における装置について、各モジュールが操作を実行する具体的な形態は、すでに該方法に関する実施例で詳しく説明したので、ここで詳細な説明を繰り返さない。
【０１１２】
図７は一つの例示的な実施例により示された装置７００のブロック図である。例えば、装置７００はスマートフォン、ウェアラブルデバイス、スマートテレビ及び車載端末などの電子機器であってもよい。
【０１１３】
図７を参照すると、装置７００は、プロセッサ部材７０２、メモリ７０４、電源部材７０６、マルチメディア部材７０８、オーディオ部材７１０、入力／出力（Ｉ／Ｏ）のインターフェース７１２、センサ部材７１４及び通信部材７１６のうちの一つ又は複数の部材を含むことができる。
【０１１４】
プロセッサ部材７０２は、一般的に装置７００の全体的操作、例えば、表示、電話の呼び出し、データ通信、カメラ操作及び記録操作に関する操作を制御する。プロセッサ部材７０２は、コマンドを実行する一つ又は複数のプロセッサ７２０を含むことで、上記方法の全部又は一部のステップを実行することができる。さらに、プロセッサ部材７０２は、他の部材とのインタラクションの便宜上、一つ又は複数のモジュールを含むことができる。例えば、プロセッサ部材７０２は、マルチメディア部材７０８とのインタラクションの便宜上、マルチメディアモジュールを含むことができる。
【０１１５】
メモリ７０４は、様々な種類のデータを記憶するように構成されて、装置７００の操作をサポートする。これらのデータの実例は、装置７００で操作されるいずれかのアプリケーション又は方法のコマンド、連絡先データ、電話帳データ、メッセージ、画像、ビデオなどを含む。メモリ７０４は、いずれかの種類の揮発性又は不揮発性メモリ又はそれらの組み合わせによって実現されることができる。例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクである。
【０１１６】
電源部材７０６は、装置７００の様々な部材のために電力を提供する。電源部材７０６は、電源管理システム、一つ又は複数の電源、及び装置７００に対する電力の生成、管理及び供給に関連する他の部材を含むことができる。
【０１１７】
マルチメディア部材７０８は、装置７００とユーザーの間で出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、スクリーンはタッチスクリーンとして実現されて、ユーザーからの入力信号を受信することができる。タッチパネルは、一つ又は複数のタッチセンサを含むことで、タッチ、スライド及びタッチパネルにおけるジェスチャーを感知する。タッチセンサは、タッチ又はスライド動作の境界を感知することができるだけではなく、タッチ又はスライド動作に関わる持続時間及び圧力を検出することができる。一部の実施例において、マルチメディア部材７０８は、フロントカメラ及び／又はバックカメラを含む。装置７００が操作モードである場合、例えば、撮影モード又はビデオモードである場合、フロントカメラ及び／又はバックカメラは外部のマルチメディアデータを受信することができる。各フロントカメラとバックカメラは、固定された光学レンズシステムであってもよく、又は焦点距離と光学ズーム性能を有してもよい。
【０１１８】
オーディオ部材７１０は、オーディオ信号を出力及び／又は入力するように構成される。例えば、オーディオ部材７１０は、マイクロフォン（ＭＩＣ）を含み、装置７００が操作モードである場合、例えば、呼び出しモード、記録モードおよび音声認識モードである場合、マイクロフォンは外部のオーディオ信号を受信するように構成される。受信されたオーディオ信号は、さらにメモリ７０４に記憶され、又は通信部材７１６を介して送信される。一部の実施例において、オーディオ部材７１０は、さらにオーディオ信号を出力するスピーカーを含む。
【０１１９】
Ｉ／Ｏインターフェース７１２は、プロセッサ部材７０２と周辺インターフェースモジュールとの間でインターフェースを提供し、上記周辺インターフェースモジュールは、キーボード、クリックホイール、ボタンなどであってもよい。これらのボタンは、ホームボタン、ボリュームボタン、スタートボタン及びロックボタンを含むことができるがそれに限定されない。
【０１２０】
センサ部材７１４は、一つ又は複数のセンサを含み、装置７００のために各方面の状態評価を提供する。例えば、センサ部材７１４は、装置７００のオン／オフ状態、部材の相対的位置決めを検出することができる。例えば、部材が装置７００のディスプレイ及びキーパッドである。センサ部材７１４は、さらに、装置７００又は装置７００の一つの部材の位置変化、ユーザーと装置７００との接触の有無、装置７００の方向および位置、又は加速／減速、及び装置７００の温度変化を検出することができる。センサ部材７１４は、近接センサを含むことができ、如何なる物理的接触もない場合、近傍物体の存在を検出するように構成される。センサ部材７１４は、さらに、イメージングアプリケーションに用いられる光学センサ、例えば、ＣＭＯＳ又はＣＣＤイメージセンサを含むことができる。一部の実施例において、該センサ部材７１４は、さらに加速度センサ、ジャイロセンサ、磁気センサ、圧力センサ又は温度センサを含むことができる。
【０１２１】
通信部材７１６は、装置７００と他の機器との有線又は無線手段による通信が便利になるように構成される。装置７００は、通信標準に基づく無線ネットワーク、例えば、Ｗｉ−Ｆｉ、２Ｇ又は３Ｇ、又はそれらの組み合わせにアクセスすることができる。一つの例示的な実施例において、通信部材７１６は、放送チャネルを介して外部放送管理システムからの放送信号又は放送関連情報を受信する。一つの例示的な実施例において、通信部材７１６は、さらに近距離無線通信（ＮＦＣ）モジュールを含むことで、近距離通信を促進する。例えば、ＮＦＣモジュールは、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１２２】
一つの例示的な実施例において、装置７００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品によって実現することができ、上記方法を実行するのに用いられる。
【０１２３】
一つの例示的な実施例では、さらに、コマンドを含む非一時的なコンピュータ読取可能な記憶媒体、例えば、コマンドを含むメモリ７０４を提供し、上記のコマンドは、装置７００のプロセッサ７２０によって実行されることで、上記方法を実行することができる。例えば、当該非一時的なコンピュータ読取可能な記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１２４】
非一時的なコンピュータ読取可能な記憶媒体において、記憶媒体のコマンドが装置７００のプロセッサによって実行されると、装置７００に上記ユーザ端末によって実行されるセル再選択過程における隣接セル検出方法を実行させることができる。
【０１２５】
当業者であれば、明細書を考慮し、ここに開示された発明を実践した上で、本発明の他の実施態様を容易に想到できる。本願は、本発明のすべての変形、用途又は適応的な変化を含むことを意図しており、これらの変形、用途又は適応的な変化は本発明の一般的な原理に準じており、本発明に開示されていない当該技術分野における一般的な知識又は慣用の技術的手段を含む。明細書と実施例は、例示的なものに過ぎず、本発明の実際の範囲と宗旨は、添付した特許請求の範囲によって決められる。
【０１２６】
本発明は、上記の説明及び図面に示された正確な構造に限定されることなく、その要旨を逸脱しない範囲内で様々な補正や変更を行うことができる。本発明の範囲は、添付した特許請求の範囲のみによって制限される。
【図１】
0006383011.tif 000003
【図２】
0006383011.tif 000004
【図３】
0006383011.tif 000005
【図４】
0006383011.tif 000006
【図５】
0006383011.tif 000007
【図６】
0006383011.tif 000008
【図７】
0006383011.tif 000009